(57)【要約】【課題】パージの中断中にパージポート近傍の蒸発燃料の濃度を緩和または低下させることができるキャニスタを提供する。【解決手段】吸着材１５をもって吸着材層１６を形成している第１ケーシング２と吸着材１９をもって吸着材層２０を形成している第２ケーシング３とを連通路５ａで接続する。第１ケーシング２側にはチャージポート６とパージポート７を、第２ケーシング３側には大気ポート８をそれぞれ形成する。第１ケーシング２内のうちポート６，７に近い部分を仕切り板２５で仕切る。仕切られたパージポート側空間２７のうち反パージポート７側の位置に通気性部材としてフィルター２８を配置して副室２９として隔離形成する。この副室２９に充填される吸着材を、第１ケーシング２内の他の吸着材よりも蒸発燃料の吸着保持力が小さいものとする。【選択図】図１
2010031711.tif 000002
【特許請求の範囲】
【請求項１】
内部に吸着材層として機能する吸着材がそれぞれに充填された第１ケーシングと第２ケーシングとを互いに接続し、
上記第１ケーシングのうち第２ケーシングとの接続部と反対側の端部には、蒸発燃料の導入側となるチャージポートと大気導入によって脱離した蒸発燃料の導出側となるパージポートをそれぞれに形成するとともに、
上記第２ケーシングのうち第１ケーシングとの接続部と反対側の端部には大気導入用の大気ポートを形成してなるキャニスタであって、
上記第１ケーシング内のうちチャージポートおよびパージポートに近い部分をチャージポート側とパージポート側とに仕切り板で仕切り、
その仕切り板で仕切られたパージポート側空間に充填される吸着材を、第１ケーシング内の他の吸着材よりも蒸発燃料の吸着保持力が小さいものとしたことを特徴とするキャニスタ。
【請求項２】
上記仕切り板で仕切られたパージポート側空間のうち反パージポート側の位置に通気性部材を配置することで当該パージポート側空間を副室として隔離形成し、
この副室に充填される吸着材を、第１ケーシング内の他の吸着材よりも蒸発燃料の吸着保持力が小さいものとしたことを特徴とする請求項１に記載のキャニスタ。
【請求項３】
上記副室に充填された吸着材のパージポート側の位置に通気性部材を配置し、
このパージポート側の通気性部材の通気抵抗を反パージポート側の通気性部材のそれよりも大きいものとしたことを特徴とする請求項２に記載のキャニスタ。
【請求項４】
上記パージポート側の通気性部材とパージポートとの間に空気層を設けてあることを特徴とする請求項３に記載のキャニスタ。
【請求項５】
上記仕切り板で仕切られたパージポート側空間の容積をチャージポート側空間の容積よりも小さくなるように設定してあることを特徴とする請求項３または４に記載のキャニスタ。
【請求項６】
上記仕切り板で仕切られたパージポート側空間の断面積をチャージポート側空間の断面積よりも小さくなるように設定してあることを特徴とする請求項５に記載のキャニスタ。
【請求項７】
上記仕切り板は、当該仕切り板に沿った流れ方向においてパージポート側空間内の吸着材とそれ以外の吸着材との境界部よりも反パージポート側空間方向に突出していることを特徴とする請求項１〜６のいずれかに記載のキャニスタ。
【請求項８】
上記仕切り板に沿った流れ方向においてパージポート側空間内の吸着材とそれ以外の吸着材との間に、双方の吸着材の中間の吸着保持力を有する吸着材を介装して、上記仕切り板に沿った流れ方向において蒸発燃料の保持力を段階的に変化させてあることを特徴とする請求項１〜７のいずれかに記載のキャニスタ。
【請求項９】
一端にチャージポートとパージポートとが形成された第１ケーシングと、同じく一端に大気ポートが形成された第２ケーシングとを、それぞれのケーシング長が長手方向でオーバーラップするように並べて配置するとともに、
第１ケーシングと第２ケーシングの他端部同士を連通させる連通路を形成し、
この連通路を通して第１ケーシング側と第２ケーシング側の吸着材同士の間で行われる蒸発燃料および大気の流動が略Ｕ字状のものとなるように形成してあることを特徴とする請求項１〜８のいずれかに記載のキャニスタ。
【発明の詳細な説明】
【技術分野】
【０００１】
本発明は、自動車の燃料タンクから蒸発した燃料を吸着して、その燃料をエンジン稼働時に燃焼させる蒸発燃料処理装置として用いられるキャニスタに関するものである。
【背景技術】
【０００２】
周知のように、ガソリンを燃料とする自動車では、燃料タンク内の蒸発燃料が大気に放出されることを抑制するために蒸発燃料処理装置としてキャニスタが用いられている。このキャニスタは、停車時等に燃料タンクから発生する蒸発燃料を吸着材である活性炭に吸着（担持）させ、エンジン稼働時にキャニスタを通して吸気を行うことにより、大気ポートから導入した大気によってキャニスタ内をパージし、吸着した蒸発燃料を脱離させてエンジン内で燃焼させる仕組みとなっている。このパージによる蒸発燃料の脱離によって活性炭の性能が復活して蒸発燃料を良好に且つ繰り返し吸着することが可能となる。
【０００３】
ところで、特定仕向地の車両にあっては、蒸発燃料処理システムの気密性自己診断機能の要求を満たす必要がある。この蒸発燃料処理システムの気密性自己診断機能とは、同処理システムの気密性自己診断実行時に、キャニスタ側の大気ポートを閉塞する一方で、キャニスタを含む同システム内にエンジン吸入負圧を導入することにより所定の減圧状態とした上でエンジン吸入負圧経路を閉塞し、しかる後に同システム内の圧力変化を観測して気密性の適否の自己診断を行うものである。
【０００４】
上記のような自己診断実行時にエンジン吸入負圧経路を閉塞することは、それまでのパージを中断してしまうことにほかならず、自己診断実行頻度の高まりとともにパージの中断頻度も高まることになり、それによってパージポート近傍の吸着材層に濃度の高い蒸発燃料が溜まってしまい、飽和状態とならないまでも吸着材層のうちパージポート近傍がいわゆる高担持状態となってしまうことになる。
【０００５】
そして、吸着材層のうちパージポート近傍は、パージに際して吸着材層からの蒸発燃料の脱離に必要な大気を導入するための大気ポートから最も遠い位置関係にあることから、パージが再開された瞬間に高濃度の蒸発燃料が一気にエンジン吸気系側に供給されることとなり、エンジンの空燃比制御を乱す要因となって好ましくない。
【０００６】
そこで、かかる不具合を解消するために、例えば特許文献１に記載されているように、緩衝キャニスタをメインキャニスタとは別体とし、専用のパージ回路を設ける方法が提案されている。
【特許文献１】特開２００３−１７２２１３号公報
【発明の開示】
【発明が解決しようとする課題】
【０００７】
しかしながら、特許文献１に記載されたものでは、システムおよび制御の複雑化によるコストアップが余儀なくされるほか、相対的にメインキャニスタのパージ回数が減少することで、キャニスタ本来の能力を十分に発揮することができない等の二次的不具合を伴うことになる。
【０００８】
本発明はこのような課題に着目してなされたものであり、特に簡単な構造のもとで、パージの中断中にパージポート近傍の蒸発燃料の濃度を緩和または低下させることができるようにしたキャニスタ、すなわちパージ中断中におけるパージポート近傍の蒸発燃料の濃度緩和機能を発揮できるようにしたキャニスタを提供するものである。
【課題を解決するための手段】
【０００９】
請求項１に記載の発明は、内部に吸着材層として機能する吸着材がそれぞれに充填された第１ケーシングと第２ケーシングとを互いに接続し、上記第１ケーシングのうち第２ケーシングとの接続部と反対側の端部には、蒸発燃料の導入側となるチャージポートと大気導入によって脱離した蒸発燃料の導出側となるパージポートをそれぞれに形成するとともに、上記第２ケーシングのうち第１ケーシングとの接続部と反対側の端部には大気導入用の大気ポートを形成してなるキャニスタを前提とする。
【００１０】
その上で、上記第１ケーシング内のうちチャージポートおよびパージポートに近い部分をチャージポート側とパージポート側とに仕切り板で仕切り、その仕切り板で仕切られたパージポート側空間に充填される吸着材を、第１ケーシング内の他の吸着材よりも蒸発燃料の吸着保持力が小さいものとしたことを特徴とする。
【００１１】
より具体的には、請求項２に記載のように、上記仕切り板で仕切られたパージポート側空間のうち反パージポート側の位置に通気性部材を配置することで当該パージポート側空間を副室として隔離形成し、この副室に充填される吸着材を、第１ケーシング内の他の吸着材よりも蒸発燃料の吸着保持力が小さいものとすることが望ましい。なお、上記通気性部材は、蒸発燃料の通過を許容するとともに、吸着材の保持とその緩衝機能を有する。
【００１２】
この場合において、必要に応じて請求項３に記載のように、上記副室に充填された吸着材のパージポート側の位置に通気性部材を配置し、このパージポート側の通気性部材の通気抵抗を反パージポート側の通気性部材のそれよりも大きいものとする。
【００１３】
より望ましくは、請求項４に記載のように、上記パージポート側の通気性部材とパージポートとの間に空気層を設けるものとする。
【００１４】
こうすることにより、通気性部材を通しての蒸発燃料の自由な移動を阻害し、しかも空気層は吸着材中と比べて蒸発燃料が移動しにくいことから、少なくともパージ中断中において、上記パージポート側空間からパージポート側への蒸発燃料の移動を抑制できるようになる。
【００１５】
また、上記と同様にパージポート側空間からパージポート側への蒸発燃料の移動を抑制する上では、請求項５に記載のように、上記仕切り板で仕切られたパージポート側空間の容積をチャージポート側空間の容積よりも小さくすることも有効である。
【００１６】
さらに、パージポート側空間の断面（仕切り板に沿った流れ方向に直交する断面）方向への蒸発燃料の拡がりを抑制する上では、請求項６に記載のように、上記仕切り板で仕切られたパージポート側空間の断面積をチャージポート側空間の断面積よりも小さくなるように設定することも有効である。
【００１７】
ここで、上記パージポート側空間とチャージポート側空間は有限長の仕切り板にて仕切られているだけであるから、両者は互いに近接した位置関係にある。そこで、チャージポート側からの高濃度の蒸発燃料が直接パージポート側空間に流入することがないようにするためには、請求項７に記載のように、上記仕切り板は、当該仕切り板に沿った流れ方向においてパージポート側空間内の吸着材とそれ以外の吸着材との境界部よりも反パージポート側空間方向に突出していることが望ましい。
【００１８】
また、上記仕切り板に沿った流れ方向においてパージポート側空間内の吸着材とそれ以外の吸着材との間に、さらに別の吸着材が介在していても良く、請求項８ではこのことを明確化している。
【００１９】
すなわち、請求項８に記載の発明は、上記仕切り板に沿った流れ方向においてパージポート側空間内の吸着材とそれ以外の吸着材との間に、双方の吸着材の中間の吸着保持力を有する吸着材を介装して、上記仕切り板に沿った流れ方向において蒸発燃料の保持力を段階的に変化させてあることを特徴とする。
【００２０】
これまでの請求項１〜８に記載された発明においては、請求項９に記載のように、一端にチャージポートとパージポートとが形成された第１ケーシングと、同じく一端に大気ポートが形成された第２ケーシングとを、それぞれのケーシング長が長手方向でオーバーラップするように並べて配置するとともに、第１ケーシングと第２ケーシングの他端部同士を連通させる連通路を形成し、この連通路を通して第１ケーシング側と第２ケーシング側の吸着材同士の間で行われる蒸発燃料および大気の流動が略Ｕ字状のものとなるように形成してあることがキャニスタのコンパクト化の上で望ましい。
【００２１】
したがって、少なくとも請求項１に記載の発明では、パージポート側空間の吸着材の蒸発燃料の吸着保持力が第１ケーシング内の他の吸着材のそれよりも小さいことは、パージポート側空間の吸着材は、吸着保持している蒸発燃料が時間の経過とともに脱離しやすいことを意味している。そのために、パージ中断中においても、パージポート側空間の吸着材から第１ケーシング内の他の吸着材への蒸発燃料の移動が促進されて、結果としてパージポート側空間の吸着材に吸着保持されている蒸発燃料の濃度を低下させることが可能となる。
【発明の効果】
【００２２】
請求項１に記載の発明によれば、一部の吸着材の変更のみで、パージ中断中においてパージポート側空間の吸着材から第１ケーシング内の他の吸着材への蒸発燃料の移動が促進されて、パージポート側空間の吸着材に吸着保持されている蒸発燃料の濃度を低下させることができる。その結果、システムや制御の複雑化を招くことなく、パージ再開時にエンジンの空燃比制御を乱すような高濃度の蒸発燃料がエンジン吸気系側に供給されてしまうのを未然に防止できる。
【発明を実施するための最良の形態】
【００２３】
図１は本発明に係るキャニスタのより具体的な第１の実施の形態を示し、いわゆる双胴タイプのキャニスタの断面図を示している。
【００２４】
図１に示すキャニスタ１は、それぞれに例えばポリアミド樹脂等の樹脂材料にて略角筒状に形成された大小二つのケーシング、すなわち第１ケーシング２および第２ケーシング３を並べて隔壁状のリブ４を介して相互に一体化したものである。これら二つのケーシング２，３はそれぞれのケーシング２，３の底部として機能するカバープレート５を共有していて、このカバープレート５が事後的に溶着等の手段にて接合・一体化されることで第１，第２ケーシング２，３が密閉される。これにより、第１，第２ケーシング２，３の内部空間は相互に隔離されている。
【００２５】
そして、後述するように、蒸発燃料および脱離空気の通流方向において両者が直列関係となるようにそれらの第１ケーシング２と第２ケーシング３とが底部側の狭隘な連通路５ａを介して相互に連通している。
【００２６】
第１ケーシング２側の一端には、図示外の燃料タンクからの蒸発燃料を導入するためのチャージポート６が開口形成されているとともに、後述する大気導入によって吸着材層２０，１６から離脱した燃料をエンジンの吸気系側に戻すためのパージポート７がチャージポート６と隣接するように開口形成されている。他方、第２ケーシング３側の一端には大気を導入するための大気ポート８が開口形成されている。
【００２７】
各ポート６〜８の根元部側には格子状のグリッド９を含んでなる膨出部１０〜１２が形成されていて、これらの膨出部１０〜１２の内部空間は後述する空気層として機能することになる。
【００２８】
第１ケーシング２には不織布等の所定厚みの通気性部材からなるシート状の複数のフィルター（またはスクリーン）１３ａ，１３ｂ，１４を介して活性炭等の粒状の吸着材１５がフルに且つ満遍なく充填されていて、これをもって両端面にフィルター１３ａ，１３ｂ，１４が介在した吸着材層１６を形成している。他方、第２ケーシング３には同じく不織布等の所定厚みの通気性部材からなる複数のフィルター（またはスクリーン）１７，１８を介して同じく活性炭等の粒状の吸着材１９がフルに且つ満遍なく充填されていて、それによって両端面にフィルター１７，１８が介在した吸着材層２０を形成している。なお、フィルター１３ａ，１３ｂ，１７は膨出部１０〜１２内のグリッド９に圧接している。
【００２９】
第１ケーシング２側では、通気性を有しながらも剛性のある例えば樹脂製の多孔板状のグリッド２１を下側のフィルター１４と重ねて配置してあり、そのフィルター１４がグリッド２１にてバックアップされているとともに、グリッド２１とそれに対向するカバープレート５側の内側底壁面との間には圧縮コイルスプリング２２を介装してある。これによって吸着材層１６を形成している吸着材１５全体を適度な弾性力で弾性付勢して当該吸着材１５全体を圧締保持している。
【００３０】
このような構造は、第２ケーシング３側についても全く同様であって、通気性を有しながらも剛性のある樹脂製の多孔板状のグリッドを符号２３で、グリッド２３とそれに対向するカバープレート５側の内側底壁面との間に介装された圧縮コイルスプリングを符号２４でそれぞれ示している。
【００３１】
このように、第１ケーシング２側および第２ケーシング３側共に吸着材層１６，２０の両側にフィルター１３ａ，１３ｂ，１４または１７，１８とグリッド２１または２３とがあることによって、チャージポート６やパージポート７側さらには大気ポート８側、あるいは連通路５ａ側への吸着材１５，１９の漏れ出しが未然に防止されている。同時に、吸着材層１６，２０を形成している吸着材１５，１９に圧縮コイルスプリング２２または２４の力が加わることで第１，第２ケーシング２，３内での吸着材１５，１９の無用な移動あるいはいわゆる踊り現象が阻止されている。
【００３２】
そして、図１のキャニスタ１は、吸着材層１６として機能する第１ケーシング２と同じく吸着材層２０として機能する第２ケーシング３とを、それぞれのケーシング長が長手方向でオーバーラップするように並べて配置し、双方のケーシング２，３の他端部同士を連通路５ａをもって連通させたものと理解することができる。
【００３３】
その結果として、後述するように、上記連通路５ａを通して第１ケーシング２側と第２ケーシング３側の吸着材層１６，２０同士の間で行われる蒸発燃料および大気の流動が略Ｕ字状のものとなるように形成してある。
【００３４】
ただし、第１ケーシング２内の吸着材層１６と第２ケーシング３内の吸着材層２０とが直列の関係にさえなれば、双方のケーシング２，３の他端同士を突き合わせるようにして、その双方のケーシング２，３を同一軸線上に配置するようにしても良い。
【００３５】
ここで、図１に示すように、チャージポート６およびパージポート７が形成された第１ケーシング２の一端の内部には当該ケーシング２の軸線方向に向けて所定長さの仕切り板２５が突出形成されている。この仕切り板２５があることによって、第１ケーシング２内のうちチャージポート６およびパージポート７に近い部分が、少なくとも第１ケーシング２の軸線と直交する方向においてチャージポート側空間２６とパージポート側空間２７とに仕切られている。
【００３６】
ここで、上記仕切り板２５で仕切られたチャージポート側空間２６およびパージポート側空間２７について、仕切り板２５の高さをそれぞれの空間２６，２７の高さ寸法とみなした場合、パージポート側空間２７よりもチャージポート側空間２６の容積の方が大きくなるように設定されているとともに、第１ケーシング２の軸線と直交する断面での断面積もチャージポート側空間２６の方が大きくなるように設定されている。
【００３７】
そして、仕切り板２５で仕切られたパージポート側空間２７のうち吸着材層１６側に臨む部分、すなわちパージポート側空間２７の反パージポート７側の位置であって且つ仕切り板２５先端相当位置には、不織布等の所定厚みの通気性部材からなるシート状のフィルター（またはスクリーン）２８を設けてある。これによって、仕切り板２５とフィルター２８とで囲まれたパージポート側空間２７が副室２９として隔離形成されているとともに、この副室２９には各吸着材層１６，２０を形成している吸着材１５，１９とは性能が異なる活性炭等の吸着材３０が充填されて吸着材層３１を形成している。
【００３８】
より具体的には、それぞれの吸着材層１６，２０を形成している吸着材１５，１９は共に同一のものであるのに対して、副室２９に充填された吸着材３０は吸着材層１６，２０を形成している吸着材１５，１９よりも蒸発燃料の吸着保持力が低い（小さい）もの、すなわち一旦吸着した蒸発燃料が時間の経過ととともに脱離しやすいものが使用されている。
【００３９】
例えば、吸着材層１６，２０を形成している吸着材１５，１９であるところの活性炭として、ＡＳＴＭ  Ｄ  ５２２８に規定されるブタン有効吸着量が１０ｇ／ｄＬ以上で且つ同ブタン残存量が３ｇ／ｄＬ以下のものが使用される場合には、副室２９側の吸着材層３１の吸着材３０として充填される活性炭は、ＡＳＴＭ  Ｄ  ５２２８に規定されるブタン有効吸着量が８ｇ／ｄＬ以上で且つ同ブタン残存量が１．５ｇ／ｄＬ以下のものが使用される。同時に、副室２９側の吸着材層３１の吸着材３０として充填される活性炭は、蒸発燃料の吸着保持力を小さくしてパージしやすくするべく、上記ブタン残存量をより極小のものとする上で２ｎｍ以下の細孔容積が１０ｎｍ以下の細孔容積の５０％以下のものであることが経験的に望ましい。
【００４０】
また、副室２９における吸着材層３１の流れ方向の両側には共にフィルター１３ｂ，２８が配置されているが、フィルター２８としてはフィルター１３ｂよりも通気抵抗が小さいものが使用されている。この通気抵抗の差は、フィルター１３ｂ，２８を形成している例えば不織布等の疎密の違い、あるいは積層厚みの違い等によって付与される。
【００４１】
したがって、このように構成されたキャニスタ１によれば、車両の停車時においては図示外の燃料タンクから発生する蒸発燃料がチャージポート６から第１ケーシング２内に導入されて、第１ケーシング２側の吸着材層１６を形成している吸着材１５のほか、第２ケーシング３側の吸着材層２０を形成している吸着材１９に吸着される。なお、一部の蒸発燃料は副室２９内の吸着材層３１を形成している吸着材３０によっても吸着される。
【００４２】
より具体的には、第１ケーシング２側の吸着材層１６で吸着しきれなかった蒸発燃料はその吸着材層１６の下方のグリッド２１を通過し、さらに連通路５ａを通過した上で第２ケーシング３側のグリッド２３および吸着材層２０を通過し、実質的に連通路５ａにてＵ字状に流れの向きを変えることで第２ケーシング３側の吸着材層２０に流入して、その吸着材層２０を形成している吸着材１９に吸着される。
【００４３】
その一方、エンジン稼働時には当該キャニスタ１を通して吸気を行うことにより大気ポート８から空気（大気）が導入され、その導入された空気は第２ケーシング３および第１ケーシング２内を通過してパージポート７からエンジン側に吸入される。この導入空気の流れにより第２ケーシング３側の吸着材層２０を形成している吸着材１９のほか、第１ケーシング２側の吸着材層１６を形成している吸着材１５および副室２９の吸着材層３１を形成している吸着材３０がいわゆるパージされ、吸着材１９，１５および３０に吸着されている蒸発燃料が脱離して導入空気とともにエンジン側に吸気されて燃焼処理される。そして、このパージによる蒸発燃料の脱離によって吸着材１９，１５および３０の性能が復活することになる。なお、これらの蒸発燃料の吸着および脱離のメカニズムは従来のものと基本的に同様である。
【００４４】
ここで、従来のキャニスタの場合には、蒸発燃料処理システムの自己診断実行時にそれまでのパージが中断されると、それによってパージポート近傍の吸着材層に濃度の高い蒸発燃料が溜まり、吸着材層のうちパージポート近傍がいわゆる高担持状態となってしまい、パージが再開された瞬間に高濃度の蒸発燃料が一気にエンジン吸気系側に供給されることとなり、エンジンの空燃比制御を乱す要因となっていることは先に述べたとおりである。
【００４５】
これに対して本実施の形態のキャニスタ１によれば、蒸発燃料処理システムの自己診断実行時にそれまでのパージが中断されると、キャニスタ１のうちでもパージポート７に近い部分、特に副室２９の吸着材層３１を中心として濃度の高い蒸発燃料が溜まり、いわゆる高担持状態となってしまう点では先の従来の場合と同様である。その上で、副室２９には蒸発燃料の吸着保持力の小さい吸着材３０が充填されて吸着材層３１を形成しているため、パージ中断中の時間の経過ととともに吸着材層３１から徐々に蒸発燃料が脱離し、脱離した蒸発燃料はそれに隣接する第１ケーシング２内の吸着材層１６側へと移動または拡散して、当該吸着材層１６にて吸着保持されることになる。これにより、パージ中断中において特に副室２９内の吸着材層３１での蒸発燃料の濃度を相対的に低下させることができることになる。
【００４６】
この場合において、パージポート７の根元部側にはフィルター２８よりも通気抵抗の大きなフィルター１３ｂが介在しているとともに、膨出部１１の内部空間が空気層として介在している。空気層は、粒状の吸着材と比べて蒸発燃料が移動しにくく、しかも通気抵抗の大きなフィルター１３ｂが蒸発燃料の通流を妨げる役目をするため、パージ中断中において吸着材層３１から脱離した蒸発燃料がパージポート７側に移動するのを抑制できることになる。
【００４７】
加えて、仕切り板２５で仕切られたチャージポート側空間２６よりもパージポート側空間２７である副室２９の容積を小さく設定してあるとともに、その副室２９の断面積もまたチャージポート側空間２６よりも小さく設定してあるため、副室２９内の吸着材層３１から脱離した蒸発燃料の図１の下方側への移動または拡散を促進し、同時に副室２９内での軸直角断面方向への蒸発燃料の拡散を極力抑制することができる。
【００４８】
図２は本発明に係るキャニスタの第２の実施の形態を示す図で、図１と共通する部分には同一符号を付してある。
【００４９】
この第２の実施の形態では、仕切り板３５をフィルター２８の位置よりもさらに下方側にまで延長したものである。このように構成することにより、吸着材層１６のうちでもチャージポート６に近くにある高濃度の蒸発燃料から副室２９内の吸着材層３１を遮断することができる。
【００５０】
また、図２の仕切り板３５の採用を前提として、フィルター２８の下方側にさらに別の吸着材として、吸着材層１６，２０側の吸着材１５，１９と吸着材層３１側の吸着材３０との中間の蒸発燃料の吸着保持力を有する吸着材３２を充填して吸着材層３３を形成しても良い。すなわち、吸着材層３３を形成している吸着材３２として吸着材層１６，２０側の吸着材１５，１９よりも蒸発燃料の吸着保持力の小さいものを採用し、さらに副室２９側の吸着材層３１を形成している吸着材３０として吸着材層３３側の吸着材３２よりも蒸発燃料の吸着保持力の小さいものを採用する。こうすることにより、仕切り板３５に沿った流れ方向において蒸発燃料の吸着保持力を段階的に変化させることができ、特にパージ中断中において副室２９内の吸着材層３１から脱離した蒸発燃料をその下方の吸着材層３３側に、さらにその吸着材層３３から脱離した蒸発燃料をより確実に吸着材層１６側に移動または拡散させることができる。
【００５１】
図３は本発明に係るキャニスタの第３の実施の形態を示す図で、図１と共通する部分には同一符号を付してある。
【００５２】
この第３の実施の形態では、チャージポート６の直下のフィルター１３ａからフィルター１４までの高さ寸法に比べて、パージポート７の直下のフィルター１３ｂからフィルター１４までの高さ寸法を積極的に大きく設定したものである。なお、図３の場合には、第１ケーシング２の一部の胴壁４５が仕切り板に相当する。
【００５３】
この第３の実施の形態では、パージ中断中において副室２９側の吸着材層３１から脱離した蒸発燃料の吸着材層１６側への移動または拡散だけに着目した場合には、先の第１の実施の形態のものよりも優れたものとなる。
【図面の簡単な説明】
【００５４】
【図１】本発明に係るキャニスタの第１の実施の形態を示す断面説明図。
【図２】本発明に係るキャニスタの第２の実施の形態を示す要部断面説明図
【図３】本発明に係るキャニスタの第３の実施の形態を示す断面説明図
【符号の説明】
【００５５】
１…キャニスタ
２…第１ケーシング
３…第２ケーシング
５ａ…連通路
６…チャージポート
７…パージポート
８…大気ポート
１１…膨出部（空気層）
１３ｂ…フィルター（通気性部材）
１５…吸着材
１６…吸着材層
１９…吸着材
２０…吸着材層
２５…仕切り板
２６…チャージポート側空間
２７…パージポート側空間
２８…フィルター（通気性部材）
２９…副室
３０…吸着材
３１…吸着材層
３２…吸着材
３３…吸着材層
３５…仕切り板
４５…胴壁（仕切り板）
【図１】
2010031711.tif 000003
【図２】
2010031711.tif 000004
【図３】
2010031711.tif 000005